(57)【要約】【課題】データ記録装置およびデータ記録方法を提供すること。【解決手段】コンテンツデータを受信する受信部と、前記コンテンツデータに対する課金処理を行う課金処理部と、前記受信部により受信された前記コンテンツデータを記憶媒体に記録する記録部と、前記記録部に、前記コンテンツデータを一部のデータを除いて前記記憶媒体に記録させ、前記課金処理後に前記一部のデータを前記記憶媒体に記録させる記録制御部と、を備えるデータ記録装置。【選択図】図３
2010277673.tif 000002
【特許請求の範囲】
【請求項１】
コンテンツデータを受信する受信部と；
前記コンテンツデータに対する課金処理を行う課金処理部と；
前記受信部により受信された前記コンテンツデータを記憶媒体に記録する記録部と；
前記記録部に、前記コンテンツデータを一部のデータを除いて前記記憶媒体に記録させ、前記課金処理後に前記一部のデータを前記記憶媒体に記録させる記録制御部と；
を備える、データ記録装置。
【請求項２】
予備電源をさらに備え、前記課金処理の後に通常電源が遮断された場合、前記予備電源から供給される電力に基づいて動作する、請求項１に記載のデータ記録装置。
【請求項３】
前記記録制御部は、前記一部のデータとして、前記コンテンツデータ中の複数個所のデータを選択する、請求項２に記載のデータ記録装置。
【請求項４】
前記複数個所のデータは、前記コンテンツデータ中で等間隔に配置されているデータである、請求項３に記載のデータ記録装置。
【請求項５】
前記データ記録装置は、前記コンテンツデータの再生音量を検出する音量検出部をさらに備え、
前記記録制御部は、前記一部のデータとして、再生音量が大きい部分からほど高い割合でデータを選択する、請求項３に記載のデータ記録装置。
【請求項６】
前記記録制御部は、前記一部のデータとして、前記コンテンツデータの先頭部分および終端部分から、他の部分より高い割合でデータを選択する、請求項３に記載のデータ記録装置。
【請求項７】
前記記録制御部は、前記予備電源の充電量が所定値に達していない場合、前記記録部に前記コンテンツデータの記録を開始させない、請求項３に記載のデータ記録装置。
【請求項８】
前記課金処理部は、前記受信部により前記コンテンツデータの全体が受信された後に前記課金処理を行う、請求項３に記載のデータ記録装置。
【請求項９】
前記課金処理部は、さらに、前記予備電源の充電量が所定値に達している場合に前記課金処理を行う、請求項８に記載のデータ記録装置。
【請求項１０】
前記記録制御部は、前記予備電源の充電量に基づき、前記一部のデータとして選択するデータ量を算出する、請求項３に記載のデータ記録装置。
【請求項１１】
前記データ記録装置は、前記記録制御部により選択された前記一部のデータを記憶する不揮発性メモリをさらに備え、
前記記録制御部は、前記課金処理後に、前記不揮発性メモリに記憶されている前記一部のデータを前記記録部に記録させる、請求項３に記載のデータ記録装置。
【請求項１２】
コンテンツデータを受信するステップと；
前記コンテンツデータを一部のデータを除いて記憶媒体に記録するステップと；
前記一部のデータをデータバッファに記録するステップと；
前記コンテンツデータに対する課金処理を行うステップと；
前記データバッファに記録されている前記一部のデータを前記記憶媒体に記録するステップと；
を含む、データ記録方法。
【発明の詳細な説明】
【技術分野】
【０００１】
本発明は、データ記録装置およびデータ記録方法に関する。
【背景技術】
【０００２】
近年、ユーザが所有する情報処理装置にネットワークを介してコンテンツデータを送信するサービスが普及している。このサービスにおいては、情報処理装置は、コンテンツデータの受信、コンテンツデータに対する課金処理、および受信したコンテンツデータの記憶媒体への記録などを行う。なお、コンテンツデータに対する課金処理については、例えば特許文献１〜４に記載されている。
【先行技術文献】
【特許文献】
【０００３】
【特許文献１】特開２００８−４２４８４号公報
【特許文献２】特開２００１−１８４２８７号公報
【特許文献３】特開平１１−２４２７１３号公報
【特許文献４】特開２００１−１３６５０５号公報
【発明の概要】
【発明が解決しようとする課題】
【０００４】
しかし、課金処理のタイミングとコンテンツデータの記憶媒体への記録タイミングの関係により、不正コピーまたはコンテンツデータの喪失などの問題が生じる場合があった。例えば、コンテンツデータの記録後に課金処理を行う場合、記録完了後であって課金処理前に電源が遮断されると、ユーザは課金されることなくコンテンツデータを取得できてしまう（不正コピー）。
【０００５】
また、課金処理後にコンテンツデータを記録する場合、課金処理後であって記録完了前に電源が遮断されると、ユーザが課金されたにもかかわらずコンテンツデータが失われてしまうという問題があった（コンテンツデータの喪失）。
【０００６】
そこで、本発明は、上記問題に鑑みてなされたものであり、本発明の目的とするところは、不正コピーまたはコンテンツデータの喪失などの問題を抑制することが可能な、新規かつ改良されたデータ記録装置およびデータ記録方法を提供することにある。
【課題を解決するための手段】
【０００７】
上記課題を解決するために、本発明のある観点によれば、コンテンツデータを受信する受信部と、前記コンテンツデータに対する課金処理を行う課金処理部と、前記受信部により受信された前記コンテンツデータを記憶媒体に記録する記録部と、前記記録部に、前記コンテンツデータを一部のデータを除いて前記記憶媒体に記録させ、前記課金処理後に前記一部のデータを前記記憶媒体に記録させる記録制御部と、を備えるデータ記録装置が提供される。
【０００８】
前記データ記録装置は、予備電源をさらに備え、前記課金処理の後に通常電源が遮断された場合、前記予備電源から供給される電力に基づいて動作してもよい。
【０００９】
前記記録制御部は、前記一部のデータとして、前記コンテンツデータ中の複数個所のデータを選択してもよい。
【００１０】
前記複数個所のデータは、前記コンテンツデータ中で等間隔に配置されているデータであってもよい。
【００１１】
前記データ記録装置は、前記コンテンツデータの再生音量を検出する音量検出部をさらに備え、前記記録制御部は、前記一部のデータとして、再生音量が大きい部分からほど高い割合でデータを選択してもよい。
【００１２】
前記記録制御部は、前記一部のデータとして、前記コンテンツデータの先頭部分および終端部分から、他の部分より高い割合でデータを選択してもよい。
【００１３】
前記記録制御部は、前記予備電源の充電量が所定値に達していない場合、前記記録部に前記コンテンツデータの記録を開始させなくてもよい。
【００１４】
前記課金処理部は、前記受信部により前記コンテンツデータの全体が受信された後に前記課金処理を行なってもよい。前記課金処理部は、さらに、前記予備電源の充電量が所定値に達している場合に前記課金処理を行なってもよい。
【００１５】
前記記録制御部は、前記予備電源の充電量に基づき、前記一部のデータとして選択するデータ量を算出してもよい。
【００１６】
前記データ記録装置は、前記記録制御部により選択された前記一部のデータを記憶する不揮発性メモリをさらに備え、前記記録制御部は、前記課金処理後に、前記不揮発性メモリに記憶されている前記一部のデータを前記記録部に記録させてもよい。
【００１７】
また、上記課題を解決するために、本発明の別の観点によれば、コンテンツデータを受信するステップと、前記コンテンツデータを一部のデータを除いて記憶媒体に記録するステップと、前記一部のデータをデータバッファに記録するステップと、前記コンテンツデータに対する課金処理を行うステップと、前記データバッファに記録されている前記一部のデータを前記記憶媒体に記録するステップと、を含むデータ記録方法が提供される。
【発明の効果】
【００１８】
以上説明したように本発明にかかるデータ記録装置およびデータ記録方法によれば、不正コピーまたはコンテンツデータの喪失などの問題を抑制することができる。
【図面の簡単な説明】
【００１９】
【図１】コンテンツ記録システムの構成を示した説明図である。
【図２】データ記録装置のハードウェア構成を示したブロック図である。
【図３】第１の実施形態にかかるデータ記録装置の構成を示した機能ブロック図である。
【図４】記録制御部によるコンテンツデータの記録制御の流れを示した説明図である。
【図５】光ディスクに記録されるコンテンツデータの物理的配置例を示した説明図である。
【図６】光ディスクに記録されるコンテンツデータの物理的配置例を示した説明図である。
【図７】第１の実施形態にかかるコンテンツ記録システム１の動作を示したシーケンス図である。
【図８】記録制御部による記録制御の変形例を示した説明図である。
【図９】記録制御部による記録制御の変形例を示した説明図である。
【図１０】記録制御部による記録制御の変形例を示した説明図である。
【図１１】記録制御部による記録制御の変形例を示した説明図である。
【図１２】第１の実施形態にかかるコンテンツ記録システム１の動作の変形例を示したシーケンス図である。
【図１３】第１の実施形態にかかるコンテンツ記録システムの動作の他の変形例を示したシーケンス図である。
【図１４】第２の実施形態にかかるデータ記録装置の構成を示した機能ブロック図である。
【発明を実施するための形態】
【００２０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２１】
また、以下に示す項目順序に従って当該「発明を実施するための形態」を説明する。
１．コンテンツ記録システムの構成
２．データ記録装置のハードウェア構成
３．第１の実施形態
３−１．データ記録装置の機能
３−２．データ記録装置の動作
３−３．記録制御の変形例
４．第２の実施形態
５．まとめ
【００２２】
＜１．コンテンツ記録システムの構成＞
まず、図１を参照し、本発明の一実施形態であるコンテンツ記録システム１の構成を説明する。
【００２３】
図１は、コンテンツ記録システム１の構成を示した説明図である。図１に示したように、コンテンツ記録システム１は、ネットワーク１２と、データ記録装置２０と、コンテンツ再生装置２２と、コンテンツサーバ３０と、課金サーバ４０と、を備える。
【００２４】
コンテンツサーバ３０は、複数のコンテンツデータを記憶しており、各コンテンツデータには、タイトル、再生時間、およびサムネイルなどの属性情報や、価格情報が対応付けられている。このコンテンツサーバ３０は、ネットワーク１２を介して接続されるデータ記録装置２０からコンテンツデータの送信を要求されると、当該コンテンツデータを検索して、属性情報と併せてデータ記録装置２０へ送信する。
【００２５】
なお、コンテンツサーバ３０が記憶しているコンテンツデータとしては、例えば、音楽、講演およびラジオ番組などの音楽データや、映画、テレビジョン番組、ビデオプログラム、写真、文書、絵画および図表などの映像データや、ゲームおよびソフトウェアがあげられる。
【００２６】
また、ネットワーク１２は、ネットワーク１２に接続されている装置から送信される情報の有線、または無線の伝送路である。例えば、ネットワーク１２は、インターネット、電話回線網、衛星通信網などの公衆回線網や、Ｅｔｈｅｒｎｅｔ（登録商標）を含む各種のＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）などを含んでもよい。また、ネットワーク１２は、ＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）などの専用回線網を含んでもよい。
【００２７】
データ記録装置２０は、コンテンツサーバ３０からコンテンツデータを受信し、受信したコンテンツデータを記憶媒体に記録する。詳細については「３．第１の実施形態」などで説明するが、このデータ記録装置２０は、コンテンツデータの記録を適切に制御することにより、コンテンツデータの不正コピーやコンテンツデータの喪失を抑制することができる。
【００２８】
なお、図１においては、データ記録装置２０の一例としてＰＣ（Ｐｅｒｓｏｎａｌ  Ｃｏｍｐｕｔｅｒ）を示しているが、データ記録装置２０はＰＣに限定されない。例えば、データ記録装置２０は、家庭用映像処理装置（ＤＶＤレコーダ、ビデオデッキなど）、ＰＤＡ（Ｐｅｒｓｏｎａｌ  Ｄｉｇｉｔａｌ  Ａｓｓｉｓｔａｎｔｓ）、家庭用ゲーム機器、家電機器などの情報処理装置であってもよい。また、データ記録装置２０は、携帯電話、ＰＨＳ（Ｐｅｒｓｏｎａｌ  Ｈａｎｄｙｐｈｏｎｅ  Ｓｙｓｔｅｍ）、携帯用音楽再生装置、携帯用映像処理装置、携帯用ゲーム機器などの情報処理装置であってもよい。
【００２９】
コンテンツ再生装置２２は、リムーバブル記憶媒体と着脱可能であり、リムーバブル記憶媒体に記録されているコンテンツデータを再生することができる。例えば、コンテンツ再生装置２２は、データ記録装置２０においてコンテンツデータが記録されたリムーバブル記憶媒体が装着され、このリムーバブル記憶媒体に記録されているコンテンツデータを再生する。
【００３０】
課金サーバ４０は、データ記録装置２０がコンテンツサーバ３０からコンテンツデータを取得して記憶媒体に記録する際に、データ記録装置２０のユーザに対する課金処理を行う。課金サーバ４０による課金方法の一例を以下に示すが、課金サーバ４０による課金方法は特に限定されない。
【００３１】
（１）課金サーバ４０が、ユーザによる事前の登録に基づき、ユーザのクレジットカード番号とユーザ識別情報を対応付けて記憶している。
（２）コンテンツサーバ３０が、コンテンツデータと併せて価格情報をデータ記録装置２０へ送信する。
（３）ユーザが、データ記録装置２０にユーザ識別情報を入力する。
（４）データ記録装置２０が、ユーザ識別情報と併せて、コンテンツデータの価格情報を課金サーバ４０に送信する。
（５）課金サーバ４０が、ユーザ識別情報に対応するクレジットカード番号を検索し、クレジットカード番号および価格情報をクレジット会社サーバへ送信する。
（６）クレジット会社サーバにおいて価格情報の示す金額のユーザへの課金が完了すると、その旨をデータ記録装置２０へ送信する。
【００３２】
なお、図１においては、課金サーバ４０がコンテンツサーバ３０と別個に構成される例を示しているが、課金サーバ４０が有する機能およびコンテンツサーバ３０が有する機能は一体的に構成されてもよい。
【００３３】
＜２．データ記録装置のハードウェア構成＞
次に、図２を参照し、データ記録装置２０のハードウェア構成を説明する。
【００３４】
図２は、データ記録装置２０のハードウェア構成を示したブロック図である。データ記録装置２０は、ＣＰＵ（Ｃｅｎｔｒａｌ  Ｐｒｏｃｅｓｓｉｎｇ  Ｕｎｉｔ）２０１と、ＲＯＭ（Ｒｅａｄ  Ｏｎｌｙ  Ｍｅｍｏｒｙ）２０２と、ＲＡＭ（Ｒａｎｄｏｍ  Ａｃｃｅｓｓ  Ｍｅｍｏｒｙ）２０３と、ホストバス２０４と、を備える。また、データ記録装置２０は、ブリッジ２０５と、外部バス２０６と、インタフェース２０７と、入力装置２０８と、出力装置２１０と、ストレージ装置（ＨＤＤ）２１１と、ドライブ２１２と、通信装置２１５とを備える。
【００３５】
ＣＰＵ２０１は、演算処理装置および制御装置として機能し、各種プログラムに従ってデータ記録装置２０内の動作全般を制御する。また、ＣＰＵ２０１は、マイクロプロセッサであってもよい。ＲＯＭ２０２は、ＣＰＵ２０１が使用するプログラムや演算パラメータ等を記憶する。ＲＡＭ２０３は、ＣＰＵ２０１の実行において使用するプログラムや、その実行において適宜変化するパラメータ等を一時記憶する。これらはＣＰＵバスなどから構成されるホストバス２０４により相互に接続されている。
【００３６】
ホストバス２０４は、ブリッジ２０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス２０６に接続されている。なお、必ずしもホストバス２０４、ブリッジ２０５および外部バス２０６を分離構成する必要はなく、一のバスにこれらの機能を実装してもよい。
【００３７】
入力装置２０８は、マウス、キーボード、タッチパネル、ボタン、マイク、スイッチおよびレバーなどユーザが情報を入力するための入力手段と、ユーザによる入力に基づいて入力信号を生成し、ＣＰＵ２０１に出力する入力制御回路などから構成されている。データ記録装置２０のユーザは、該入力装置２０８を操作することにより、データ記録装置２０に対して各種のデータを入力したり処理動作を指示したりすることができる。
【００３８】
出力装置２１０は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置およびランプなどの表示装置を含む。さらに、出力装置２１０は、スピーカおよびヘッドホンなどの音声出力装置を含む。出力装置２１０は、例えば、再生されたコンテンツを出力する。具体的には、表示装置は再生された映像データ等の各種情報をテキストまたはイメージで表示する。一方、音声出力装置は、再生された音声データ等を音声に変換して出力する。
【００３９】
ストレージ装置２１１は、データ記録装置２０の記憶部の一例として構成されたデータ格納用の装置である。ストレージ装置２１１は、記憶媒体、記憶媒体にデータを記録する記録装置、記憶媒体からデータを読み出す読出し装置および記憶媒体に記録されたデータを削除する削除装置などを含んでもよい。ストレージ装置２１１は、例えば、ＨＤＤ（Ｈａｒｄ  Ｄｉｓｋ  Ｄｒｉｖｅ）で構成される。このストレージ装置２１１は、ハードディスクを駆動し、ＣＰＵ２０１が実行するプログラムや各種データを格納する。
【００４０】
ドライブ２１２は、記憶媒体用リーダライタであり、データ記録装置２０に内蔵、あるいは外付けされる。ドライブ２１２は、装着されている磁気ディスク、光ディスク、光磁気ディスク、または半導体メモリ等のリムーバブル記録媒体２４に記録されている情報を読み出して、ＲＡＭ２０３に出力する。または、ドライブ２１２は、装着されているリムーバブル記録媒体２４に情報を記録する。
【００４１】
通信装置２１５は、例えば、ネットワーク１２に接続するための通信デバイス等で構成された通信インタフェースである。また、通信装置２１５は、無線ＬＡＮ（Ｌｏｃａｌ  Ａｒｅａ  Ｎｅｔｗｏｒｋ）対応通信装置であっても、ワイヤレスＵＳＢ対応通信装置であっても、有線による通信を行うワイヤー通信装置であってもよい。
【００４２】
なお、上記では図２を参照してデータ記録装置２０のハードウェア構成について説明したが、コンテンツ再生装置２２のハードウェアはデータ記録装置２０と実質的に同一に構成することが可能であるため、説明を省略する。
【００４３】
＜３．第１の実施形態＞
続いて、図３〜図１１を参照し、第１の実施形態にかかるデータ記録装置２０について説明する。
【００４４】
（３−１．データ記録装置の機能）
図３は、第１の実施形態にかかるデータ記録装置２０の構成を示した機能ブロック図である。図３に示したように、データ記録装置２０は、操作部２１６と、処理管理部２２０と、コンテンツ取得部２２４と、課金処理部２２８と、復号部２３２と、記録制御部２３６と、データバッファ２４０と、記録部２４４と、通常電源２４８と、予備電源２５２と、を備える。
【００４５】
操作部２１６は、図２に示した入力装置２０８に対応し、データ記録装置２０のユーザによる各種操作を受け付ける。ユーザは、操作部２１６を介して、例えばコンテンツサーバ３０に送信を要求するコンテンツデータをコンテンツリストから選択したり、課金処理のための情報を入力したりすることができる。
【００４６】
処理管理部２２０は、操作部２１６を介して行われたユーザ操作に基づいて、コンテンツ取得部２２４によるコンテンツの取得処理や、課金処理部２２８による課金処理などを管理する。
【００４７】
コンテンツ取得部２２４（受信部）は、操作部２１６を介してユーザにより選択されたコンテンツデータの送信をコンテンツサーバ３０に要求し、該要求に応じてコンテンツサーバ３０から送信されたコンテンツデータを受信する。また、コンテンツ取得部２２４は、コンテンツサーバ３０から送信された属性情報や価格情報なども受信する。
【００４８】
なお、コンテンツサーバ３０から送信されるコンテンツデータは暗号鍵で暗号化されている。このため、コンテンツデータを復号するための復号鍵もコンテンツサーバ３０から送信され、コンテンツ取得部２２４が復号鍵を受信する。例えば、コンテンツサーバ３０は、コンテンツデータの送信前に復号鍵を送信してもよい。
【００４９】
課金処理部２２８は、コンテンツ取得部２２４によるコンテンツデータの取得に際し、課金サーバ４０と協働してコンテンツデータの課金処理を行う。より詳細には、課金処理部２２８は、コンテンツ取得部２２４によりコンテンツデータの全体が取得された後に課金処理を行う。なお、課金処理は、「１．コンテンツ記録システムの構成」において説明したように、多様な方法で実現できる。
【００５０】
復号部２３２は、コンテンツ取得部２２４により受信されたコンテンツデータを復号鍵で復号し、復号したコンテンツデータを記録制御部２３６に供給する。
【００５１】
記録制御部２３６は、復号部２３２から供給されるコンテンツデータの、記録部２４４による記憶媒体への記録を制御する。具体的には、記録制御部２３６は、コンテンツデータの一部のデータを選択し、コンテンツデータ中の他のデータを記録部２４４に記憶媒体へ記録させる。除かれた一部のデータはデータバッファ２４０に保持される。そして、記録制御部２３６は、課金処理部２２８による課金処理が終了すると、データバッファ２４０に保持されているデータを記録部２４４に記録媒体へ記録させる。
【００５２】
なお、データバッファ２４０および記憶媒体は、不揮発性メモリ、磁気ディスク、光ディスク、およびＭＯ（Ｍａｇｎｅｔｏ  Ｏｐｔｉｃａｌ）ディスクなどであってもよい。不揮発性メモリとしては、例えば、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）があげられる。また、磁気ディスクとしては、ハードディスクおよび円盤型磁性体ディスクなどがあげられる。また、光ディスクとしては、ＣＤ（Ｃｏｍｐａｃｔ  Ｄｉｓｃ、ＤＶＤ−Ｒ（Ｄｉｇｉｔａｌ  Ｖｅｒｓａｔｉｌｅ  Ｄｉｓｃ  Ｒｅｃｏｒｄａｂｌｅ）およびＢＤ（Ｂｌｕ−Ｒａｙ  Ｄｉｓｃ（登録商標））などがあげられる。
【００５３】
データ記録装置２０は、データバッファ２４４として不揮発性メモリを備える場合、落雷故障などが発生した場合においても、その後の修理により記録を完了することが可能である。
【００５４】
通常電源２４８は、データ記録装置２０の各構成が動作するための電力を供給する。例えば、通常電源２４８は、コンセントから取得されるＡＣ電源であってもよい。
【００５５】
予備電源２５２は、電力を蓄積するバッテリ、コンデンサなどで構成され、例えば通常電源２４８から供給される電力に基づいて充電される。ユーザの誤操作または落雷の影響などにより通常電源２４８からの電源供給が遮断されると、予備電源２５２に蓄積された電力が、記録制御部２３６、データバッファ２４０、および記録部２４４などに供給される。
【００５６】
ここで、図４〜図６を参照し、記録制御部２３６によるコンテンツデータの記録制御についてより具体的に説明する。
【００５７】
図４は、記録制御部２３６によるコンテンツデータの記録制御の流れを示した説明図である。図４（１）に示したように、記録制御部２３６は、コンテンツデータの一部のデータを選択し、選択した一部のデータを除きながらコンテンツデータを記録部２４４に記録させる。ここで、除かれた一部のデータはデータバッファ２４０に保持される。なお、図４においては、ドットを付した矩形領域が記録済のデータ部分を示し、空白の矩形領域が未記録のデータ部分を示している。また、一例として、記録制御部は一部のデータとして、３０秒ごとに１秒分のデータを選択してもよい。
【００５８】
そして、図４（２）に示したように、コンテンツデータの終端までの記録が終了すると、課金処理部２２８が課金処理を行う。課金処理部２２８による課金処理が終了すると、図４（３）に示したように、記録制御部２３６は、データバッファ２４０に保持されているデータを、記録部２４４に順次に記録させる。なお、図４においては、より深いドットを付した矩形領域が課金処理後に記録されたデータ部分を示している。その後、図４（４）に示したように、データバッファ２４０に保持されていた全てのデータが記憶媒体に記録され、コンテンツデータ全体の記録が終了する。なお、図４（４）には、データバッファ２４０に保持されているデータを後方から順次に記録する例を示したが、データバッファ２４０に保持されているデータは前方から記録してもよい。
【００５９】
このように、記録制御部２４４は、課金処理前はコンテンツデータが一部のデータを除いて記録されるように制御する。したがって、ユーザが課金処理の前に意図的に電源を遮断しても、不完全なコンテンツデータが残るため、不正コピーを防止することができる。また、課金処理後であってコンテンツデータの記録が完了する前に通常電源２４８が遮断されたとしても、データ記録装置２０は予備電源２５２から供給される電力に基づいてコンテンツデータの記録を完了することができる。すなわち、本実施形態にかかるデータ記録装置２０によれば、コンテンツデータの不正コピーを防止すると共に、課金されたにもかかわらずコンテンツデータが喪失してしまうことを防止できる。
【００６０】
なお、記録部２４４による記録対象が光ディスクである場合、記録部２４４は、図５または図６に示すような物理的配置でコンテンツデータを記録してもよい。
【００６１】
図５および図６は、光ディスクに記録されるコンテンツデータの物理的配置例を示した説明図である。より詳細には、図５および図６は、コンテンツデータが記録される光ディスク２４上のトラックを模式的に示しており、課金処理前にコンテンツデータが記録されるトラックを実線で、課金処理後にコンテンツデータが記録されるトラックを点線で示している。
【００６２】
図５に示したように、記録部２４４は、課金処理前、除かれた一部のデータを記録するためのトラック間隔を空けてコンテンツデータを記録してもよい。そして、記録部２４４は、課金処理後、データバッファ２４０に保持されているデータをトラック間隔を埋めるように記録してもよい。すなわち、記録部２４４は、課金処理前、一部のデータが除かれたコンテンツデータを物理的に不連続に記録し、課金処理後、トラック上の不連続な部分に上記一部のデータを記録してもよい。
【００６３】
または、記録部２４４は、図６に示したように、課金処理前、コンテンツデータを一部のデータを除いてトラック上に連続的に記録し、課金処理後、データバッファ２４０に保持されているデータを課金処理前に記録されたコンテンツデータのトラックに続けて記録してもよい。この場合、トラックに記録されたコンテンツデータの順序は、コンテンツデータの再生順序とは異なることとなる。
【００６４】
（３−２．データ記録装置の動作）
次に、図７を参照し、第１の実施形態にかかるコンテンツ記録システム１の動作を説明する。
【００６５】
図７は、第１の実施形態にかかるコンテンツ記録システム１の動作を示したシーケンス図である。図７に示したように、まず、データ記録装置２０のコンテンツ取得部２２４がコンテンツサーバ３０へコンテンツデータの送信を要求し（Ｓ３０８）、コンテンツサーバ３０がコンテンツデータの送信を開始する（Ｓ３１６）。そして、データ記録装置２０の記録制御部２３６は、コンテンツデータの一部のデータを選択してデータバッファ２４０に保持させ、他の部分を記録部２４４に記録させる（Ｓ３２４）。
【００６６】
その後、コンテンツサーバ３０からのコンテンツデータの送信が終了すると（Ｓ３３２）、データ記録装置２０の課金処理部２２８と課金サーバ４０が協働してコンテンツデータに対する課金処理を行う（Ｓ３４０）。
【００６７】
課金処理が終了すると、データ記録装置２０の記録制御部２３６は、データバッファ２４０に保持されているデータを記録部２４４に記録させる（Ｓ３４８）。なお、Ｓ３４８における記録部２４４による記録は通常電源２４８から供給される電力に基づいて行われる。
【００６８】
一方、データバッファ２４０に保持されているデータの記録が終了しておらず（Ｓ３５６）、通常電源２４８が遮断された場合（Ｓ３６４）、記録制御部２３６は、データバッファ２４０に保持されている残りデータを、予備電源２５２から供給される電力を利用して記録部２４４に記録させる（Ｓ３７２）。
【００６９】
このように、本実施形態においては、課金処理後に通常電源２４８が遮断された場合であっても、予備電源２５２から供給される電力に基づいてコンテンツデータの記録を完了することができるため、コンテンツデータの喪失を防止することができる。また、本実施形態においては、課金処理前に電源が遮断された場合には、途中のデータが抜けたコンテンツデータが記憶媒体に残るため、不正コピーを防止することも可能である。すなわち、本実施形態によれば、コンテンツデータの喪失の防止、および不正コピーの防止を併せて実現することができる。
【００７０】
（３−３．記録制御の変形例）
以上、第１の実施形態にかかるデータ記録装置２０について説明した。しかし、第１の実施形態にかかるデータ記録装置２０によるコンテンツデータの記録制御は、上記で説明した例に限定されない。以下、データ記録装置２０によるコンテンツデータの記録制御の変形例を説明する。
【００７１】
（第１の変形例）
上記では、図４に示したように、記録制御部２３６が一部のデータとしてコンテンツデータ中の等間隔のデータを選択する例を説明したが、本実施形態はかかる例に限定されない。
【００７２】
図８は、記録制御部２３６による記録制御の変形例を示した説明図である。記録制御部２３６は、図８に示したように、一部のデータとしてランダムな間隔で複数個所のデータを選択してもよい。さらに、各箇所のデータ量は均一でなくてもよく、図８に示したように各箇所のデータ量もランダムであってよい。
【００７３】
（第２の変形例）
上述したように、本実施形態にかかるデータ記録装置２０は、課金処理後に通常電源２４８が遮断された場合であっても、予備電源２５２から供給される電力に基づいて動作することができる。しかし、予備電源２５２の充電量が課金処理後に記録すべきデータ量に対して少ないと、予備電源２５２の電力が不足してしまう場合が想定される。そこで、図９および図１０を参照して説明するように、記録制御部２３６は、予備電源２５２の充電量に応じて記録制御を行ってもよい。
【００７４】
図９および図１０は、記録制御部２３６による記録制御の変形例を示した説明図である。図９および図１０に示したように、記録制御部２３６は、予備電源２５２の充電量が所定値に達していない場合、予備電源２５２の充電量で記録可能なデータ量を算出し、課金処理後に記録するデータとして当該データ量以下のデータを選択してもよい。
【００７５】
例えば、記録制御部２３６は、図９に示したように、予備電源２５２の充電量が所定値に達していない場合、課金処理後に記録するデータとして選択する複数個所のデータの各々のデータ量を小さくしてもよい。すなわち、記録制御部２３６は、予備電源２５２の充電量が少ないほど、複数個所のデータの各々のデータ量を小さくしてもよい。
【００７６】
また、記録制御部２３６は、図１０に示したように、予備電源２５２の充電量が所定値に達していない場合、課金処理後に記録するデータとして選択する複数個所のデータのデータ間隔を大きくしてもよい。すなわち、記録制御部２３６は、予備電源２５２の充電量が少ないほど、複数個所のデータの各々のデータ間隔を大きくしてもよい
【００７７】
また、記録制御部２３６は、図９に示した例と図１０に示した例を組み合せてもよい。すなわち、記録制御部２３６は、予備電源２５２の充電量が少ないほど、複数個所のデータの各々のデータ量を小さくし、かつ、複数個所のデータの各々のデータ間隔を大きくしてもよい。
【００７８】
このように、予備電源２５２の充電量に応じて記録制御を行うことにより、予備電源２５２の電力が不足することにより、コンテンツデータの記録を完了できなくなってしまう場合を防止することが可能である。
【００７９】
（第３の変形例）
課金処理前は、不正コピーの防止という観点から、コンテンツの価値が下がるようにコンテンツデータの一部のデータを除いて記録することが好ましい。ここで、コンテンツデータの先頭付近および終端付近は重要部分である場合が多いと考えられる。そこで、記録制御部２３６は、図１１に示すように、課金処理後に記録すべきデータの選択を、コンテンツデータの位置に応じて行ってもよい。
【００８０】
図１１は、記録制御部２３６による記録制御の変形例を示した説明図である。図１１に示したように、記録制御部２３６は、コンテンツデータの先頭付近および終端付近から、課金処理後に記録すべきデータを高い割合で選択してもよい。具体的には、記録制御部２３６は、コンテンツデータの先頭付近（例えば、先頭から全コンテンツデータ量の５％まで）および終端付近（例えば、全コンテンツデータ量の９５％〜終端まで）では、単位データから２割のデータを課金処理後に記録すべきデータとして選択し、他の部分では単位データから１割のデータを課金処理後に記録すべきデータとして選択してもよい。
【００８１】
（第４の変形例）
第２の変形例で説明したように、予備電源２５２の充電量が課金処理後に記録すべきデータ量に対して少ないと、課金処理後に通常電源２４８が遮断された場合、予備電源２５２の電力が不足してしまうことが懸念される。そこで、データ記録装置２０は、図１２および図１３に示すように、予備電源２５２の充電量が所定値に達していない場合には、処理の過程で予備電源２５２が十分に充電するまで待機してもよい。
【００８２】
図１２は、第１の実施形態にかかるコンテンツ記録システム１の動作の変形例を示したシーケンス図である。図１２に示したように、まず、データ記録装置２０のコンテンツ取得部２２４がコンテンツサーバ３０へコンテンツデータの送信を要求し（Ｓ４０８）、コンテンツサーバ３０がコンテンツデータの送信を開始する（Ｓ４１６）。そして、データ記録装置２０の記録制御部２３６は、コンテンツデータの一部のデータを選択してデータバッファ２４０に保持させ、他の部分を記録部２４４に記録させる（Ｓ４２４）。
【００８３】
その後、コンテンツサーバ３０からのコンテンツデータの送信が終了すると（Ｓ４３２）、課金処理部２２８は、予備電源２５２の充電量が所定値に達しているか否かを判断する（Ｓ４３６）。そして、課金処理部２２８は、予備電源２５２の充電量が所定値に達していない場合、予備電源２５２の充電量が所定値に達するまで待機し、その後に課金サーバ４０と協働してコンテンツデータに対する課金処理を行う（Ｓ４４０）。
【００８４】
なお、コンテンツデータのデータ量が大きく、その結果、課金処理後に記録すべきデータ量が大きくなるほど、課金処理後の記録に必要となる電力も大きくなる。そこで、予備電源の充電量を評価する際に用いられる所定値は、コンテンツデータのデータ量に比例する値であってもよい。すなわち、予備電源の充電量を評価する際に用いられる所定値は、コンテンツデータのデータ量が大きいほど大きな値であってもよい。Ｓ４４８〜Ｓ４７２の処理は、「３−２．データ記録装置の動作」で説明したＳ３４８〜Ｓ３７２の処理に対応しているため、説明を省略する。
【００８５】
図１３は、第１の実施形態にかかるコンテンツ記録システム１の動作の他の変形例を示したシーケンス図である。図１３に示したように、まず、データ記録装置２０のコンテンツ取得部２２４がコンテンツサーバ３０へコンテンツデータの送信を要求し（Ｓ５０８）、コンテンツサーバ３０がコンテンツデータの送信を開始する（Ｓ５１６）。
【００８６】
ここで、データ記録装置２０の記録制御部２３６は、予備電源２５２の充電量が所定値に達しているか否かを判断する（Ｓ５２０）。そして、記録制御部２３６は、予備電源２５２の充電量が所定値に達していない場合、予備電源２５２の充電量が所定値に達するまで待機し、その後にＳ５２４の処理に移行する。なお、Ｓ５３２〜Ｓ５７２の処理は、「３−２．データ記録装置の動作」で説明したＳ３３２〜Ｓ３７２の処理に対応しているため、説明を省略する。
【００８７】
以上、図１２および図１３を参照して説明したように、データ記録装置２０は、予備電源２５２の充電量が所定値に達していない場合にはコンテンツデータの記録、または課金処理などを待機してもよい。かかる構成によれば、予備電源２５２の電力不足に起因してコンテンツデータの記録を完了できなくなってしまう場合を防止することができる。
【００８８】
＜４．第２の実施形態＞
続いて、図１４を参照し、第２の実施形態にかかるデータ記録装置２０’について説明する。第１の実施形態にかかるデータ記録装置２０は、上述したように、コンテンツデータの内容に関係なく課金処理後に記録すべきデータを選択する。これに対し、本実施形態にかかるデータ記録装置２０’は、コンテンツデータの内容に応じて課金処理後に記録すべきデータを選択する。したがって、課金処理前に記録されるコンテンツデータの価値を効果的に下げることが可能となるため、不正コピーを一層抑止することが期待される。
【００８９】
図１４は、第２の実施形態にかかるデータ記録装置２０’の構成を示した機能ブロック図である。図１４に示したように、データ記録装置２０’は、操作部２１６と、処理管理部２２０と、コンテンツ取得部２２４と、課金処理部２２８と、復号部２３２と、記録制御部２３６と、データバッファ２４０と、記録部２４４と、通常電源２４８と、予備電源２５２と、音量検出部２５６と、を備える。
【００９０】
音量検出部２５６は、復号部２３２により復号されたコンテンツデータが供給され、供給されたコンテンツデータ中の各部分の再生音量を検出する。例えば、音量検出部２５６は、コンテンツデータに含まれる音声データを再生することにより再生音量を検出することができる。
【００９１】
ここで、再生音量の大きい部分は、コンテンツデータ中の重要部分であると考えられる。このため、再生音量の大きい部分が除かれたコンテンツデータは、本来の価値を著しく下回ることが予想される。
【００９２】
そこで、本実施形態にかかる記録制御部２３６は、音量検出部２５６により検出された再生音量が大きい部分からほど、課金処理後に記録すべきデータとして高い割合でデータを選択する。例えば、音量検出部２５６からコンテンツデータの単位区間（例えば、再生時間の５分間分）ごとの平均音量が供給され、記録制御部２３６は、平均音量が高い区間からほど多くのデータを選択してもよい。
【００９３】
その結果、課金処理前に記憶媒体に記録されるコンテンツデータから、コンテンツデータ中の重要部分（盛り上がり部分）を欠落させることができるため、コンテンツデータの価値を効果的に下げることが可能である。
【００９４】
なお、上記では、コンテンツデータ中の重要部分の検出を再生音量に基づいて行う例を説明したが、本実施形態はかかる例に限定されない。例えば、コンテンツデータが動画データである場合、シーンチェンジの頻度が高い部分はコンテンツデータ中の重要部分であると考えられる。そこで、データ記録装置２０’は、シーンチェンジの頻度が高い部分からほど、課金処理後に記録すべきデータとして高い割合でデータを選択してもよい。より具体的には、データ記録装置２０’は、シーンチェンジを背景画像の変化などにより検出し、当該シーンチェンジが多い単位区間からほど多くのデータを選択してもよい。その結果、再生音量に基づく検出と同様、課金処理前に記憶媒体に記録されるコンテンツデータから、コンテンツデータ中の重要部分（盛り上がり部分）を欠落させることができるため、コンテンツデータの価値を効果的に下げることが可能である。
【００９５】
＜５．まとめ＞
以上説明したように、上述した実施形態によれば、以下の効果が得られる。
（１）
データ記録装置２０および２０’は、課金処理前はコンテンツデータを一部のデータを除きながら記憶媒体に記録し、除かれた一部のデータを課金処理後に記憶媒体に記録する。したがって、課金処理前に電源が遮断された場合、価値の劣化したコンテンツデータが記憶媒体に残るため、意図的な電源遮断による不正コピーを抑止することができる。さらに、課金処理後に通常電源２４８が遮断されても、データ記録装置２０および２０’は予備電源２５２から供給される電力に基づいてコンテンツデータの記録を継続できるため、課金処理後の電源遮断によりコンテンツデータが失われてしまう場合を抑制することが可能である。
（２）
また、データ記録装置２０および２０’は、予備電源２５２の充電量に応じて記録制御を行うことにより、予備電源２５２の電力が不足することにより、コンテンツデータの記録を完了できなくなってしまう場合を防止することが可能である。
（３）
また、データ記録装置２０’によれば、課金処理前に記憶媒体に記録されるコンテンツデータから、コンテンツデータ中の重要部分（盛り上がり部分）を欠落させることができるため、コンテンツデータの価値を効果的に下げることが可能である。
【００９６】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００９７】
例えば、本明細書のコンテンツ記録システム１の処理における各ステップは、必ずしもシーケンス図として記載された順序に沿って時系列に処理する必要はない。例えば、コンテンツ記録システム１の処理における各ステップは、並列的あるいは個別に実行される処理（例えば、並列処理あるいはオブジェクトによる処理）を含んでもよい。
【００９８】
また、データ記録装置２０に内蔵されるＣＰＵ２０１、ＲＯＭ２０２およびＲＡＭ２０３などのハードウェアを、上述したデータ記録装置２０の各構成と同等の機能を発揮させるためのコンピュータプログラムも作成可能である。また、該コンピュータプログラムを記憶させた記憶媒体も提供される。
【符号の説明】
【００９９】
１      コンテンツ記録システム
１２    ネットワーク
２０、２０’    データ記録装置
２２      コンテンツ再生装置
３０      コンテンツサーバ
４０      課金サーバ
２１６    操作部
２２４    コンテンツ取得部
２２８    課金処理部
２３２    復号部
２３６    記録制御部
２４０    データバッファ
２４４    記録部
２４８    通常電源
２５２    予備電源
２５６    音量検出部
【図１】
2010277673.tif 000003
【図２】
2010277673.tif 000004
【図３】
2010277673.tif 000005
【図４】
2010277673.tif 000006
【図５】
2010277673.tif 000007
【図６】
2010277673.tif 000008
【図７】
2010277673.tif 000009
【図８】
2010277673.tif 000010
【図９】
2010277673.tif 000011
【図１０】
2010277673.tif 000012
【図１１】
2010277673.tif 000013
【図１２】
2010277673.tif 000014
【図１３】
2010277673.tif 000015
【図１４】
2010277673.tif 000016